(57)【要約】 【課題】  複数の商品が混合されて販売される商品の各商品の混合比率や総重量をユーザが自由に設定すること。【解決手段】  複数の商品が混合して販売される商品の混合比率を位置情報として指定する混合比率指定手段１５と、この混合比率指定手段で指定された位置情報に基づいて商品の混合比率を計算する第１の計算手段Ｓ７とを具備したことを特徴とする。【選択図】      図１
2006258573.tif 000002
【特許請求の範囲】
【請求項１】
複数の商品を混合して販売する商品の混合比率を位置情報として指定する混合比率指定手段と、
この混合比率指定手段で指定された位置情報に基づいて商品の混合比率を計算する第１の計算手段とを具備したことを特徴とする商品構成決定支援装置。
【請求項２】
複数の商品を混合して販売する商品の混合比率を位置情報として指定する混合比率指定手段と、
この混合比率指定手段で指定された位置情報に基づいて商品の混合比率を計算する第１の計算手段と、
前記商品の総重量を位置情報として指定する総重量指定手段と、
この総重量指定手段で指定された位置情報に基づいて総重量を計算する第２の計算手段と、
前記第１の計算手段及び第２の計算手段の計算結果及び各商品の単価に基づいて値段を決定する決定手段とを具備したことを特徴とする商品構成決定支援装置。
【請求項３】
更に、前記決定手段で決定された商品構成を表示する表示手段を備えていることを特徴とする請求項２記載の商品構成決定支援装置。
【発明の詳細な説明】
【技術分野】
【０００１】
本発明は、商品を混合して販売する場合において、商品の混合比率や総重量等を自在に設定することができる商品構成決定支援装置に関する。
【背景技術】
【０００２】
例えば、『柿ピー』のように複数の商品が混合されて販売されるものがある。通常この『柿ピー』を構成する『柿の種』と『ピーナッツ』の比率は一定の割合で袋詰めされている。
【０００３】
また、『柿ピー』の総重量も一定量で販売されている。
【発明の開示】
【発明が解決しようとする課題】
【０００４】
従って、従来の『柿ピー』では客が『柿の種』と『ピーナッツ』の混合比率や『柿ピー』の総重量を自由に設定することはできなかった。
【０００５】
このことは、『柿ピー』に限らず、他の混合されて販売される商品（例えば、漢方等の医療用品や化粧品）も同様である。
【０００６】
本発明は上記の点に鑑みてなされたもので、その目的は、複数の商品が混合されて販売される商品の各商品の混合比率や総重量をユーザが自由に設定することができる商品構成決定支援装置を提供することにある。
【課題を解決するための手段】
【０００７】
請求項１記載の発明は、複数の商品を混合して販売する商品の混合比率を位置情報として指定する混合比率指定手段と、この混合比率指定手段で指定された位置情報に基づいて商品の混合比率を計算する第１の計算手段とを具備したことを特徴とする。
【発明の効果】
【０００８】
本発明によれば、混合比率指定手段で指定された位置情報より混合比率を計算するようにしたので、ユーザが自由に商品の混合比率を設定することができる。
【発明を実施するための最良の形態】
【０００９】
以下図面を参照して本発明の一実施の形態について説明する。図１を参照して商品構成決定支援装置の正面図について説明する。
【００１０】
図１において、１１は筐体である。この筐体１１の前面には、略扇形状のメインディスプレイ１２が取り付けられ、筐体１１の頭部には四角形状のサブディスプレイ１３が取り付けられている。これらメインディスプレイ１２及びサブディスプレイ１３はそれぞれ液晶ディスプレイにより構成されている。
【００１１】
また、メインディスプレイ１２の左側辺１２ａにこの左側辺１２aに平行に客が購入しようとする商品の総重量を位置情報で指定するスクロールバー１４が設けられている。このスクロールバー１４のレバー１４ａをスライドすることにより弧Ａがレバー１４ａの位置に追従するように図４で示すように表示される。
【００１２】
さらに、メインディスプレイ１２の底辺１２ｂの下側には客が購入しようとする商品の混合割合を位置情報で指定するダイヤル１５が設けられている。このダイヤル１５を回動させることにより図５に示すように、右側にあるピーナッツと左側にある柿の種の画像の境界線Ｂを追従して表示される。また、メインディスプレイ１２のそれぞれの商品の画像上に混合割合が数値で表示され、この数値もダイヤル１５に追従する。
【００１３】
さらに、このダイヤル１５の下側には、後述するラベルプリンタ２４で印刷されたラベルが排出されるラベル排出部１６が設けられている。
【００１４】
さらに、筐体１１の側辺には、レバー１４aやダイヤル１５での入力を確定するためのレバー１７が設けられている。
【００１５】
次に、図２を参照して本装置のシステム構成について説明する。図２において、図１中の同じ部分には同一番号を付してその詳細な説明については省略する。
【００１６】
図２において、２１は本装置を統括して制御するＣＰＵ（中央処理装置）である。このＣＰＵ２１からのシステムバス２１ａには、図５に示すような制御プログラムを記憶している図３に示すようなデータファイルを記憶するフラッシュＲＯＭ２２、メインディスプレイ１２、サブディスプレイ１３、Ｉ／Ｆ（インタフェース）ボード２３、ラベルプリンタ２４、ＲＡＭ（ランダム・アクセス・メモリ）２５、入力インタフェース２６が設けられている。
【００１７】
Ｉ／Ｆボード２３にはＰＯＳ端末２７が接続される。
【００１８】
入力インタフェース２６には、スクロールバー１４、ダイヤル１５、レバー１７が接続されている。
【００１９】
次に、図３を参照して１つの商品に対して設定されているデータファイルとして商品情報ファイル、スクロールバー設定ファイル、ダイヤル設定ファイルで構成されている。まず、商品情報ファイルとして、商品コードには、『柿ピー』に対する商品コード、商品名称として『柿ピー』という商品名称、商品Ｘの単価として『柿の種』の１００ｇ当たりの単価Ｐ１、商品Ｙの単価として『ピーナッツ』の１００ｇ当たりの単価Ｐ２、商品が販売される最大値としての商品量の上限値Ｗ１（ｇ）が、商品が販売される最小値としての商品量の下限値Ｗ２（ｇ）が記憶されている。これらのデータはＰＯＳ端末２７から商品情報ファイルとして入力される。
【００２０】
また、スクロールバー設定ファイルとして、スクロールバー１４の上限位置情報及び下限位置情報が記憶される。例えば、スクロールバー１４がａ点からｂ点まで移動する設定にし、しかもスクロールバー１４をスライドすると出力電圧がリニアに変化するように設定してあれば、ａ点での出力電圧Ｖａが下限位置情報として記憶され、ｂ点での出力電圧Ｖｂが上限位置情報として記憶される。
【００２１】
さらに、ダイヤル設定ファイルとして、ダイヤル１５が上限角度情報及び下限角度情報が記憶される。例えば、ダイヤル１５がｃ点からｄ点まで回動するように設定し、ダイヤル１５の回動により出力電圧がリニアに変化するように設定してあれば、ｃ点での出力電圧Ｖｃが下限角度情報として記憶され、ｄ点での出力電圧Ｖｄが上限角度情報として記憶される。
【００２２】
次に、上記のように構成された本発明の一実施の形態の動作について説明する。まず、
購入者はスクロールバー１４をａ点とｂ点との間でスライドして『柿ピー』の商品量を指定する。次に、『柿ピー』内の『柿の種』と『ピーナッツ』との割合をダイヤル１５を回動させることにより指定する。
【００２３】
例えば、スクロールバー１４をｘ点までスライドさせ、ダイヤル１５をｙ点まで回動させた場合の動作について説明する。ここで、スクロールバー１４がｘ点に位置する場合の出力電圧をＶｘ、ダイヤル１５がｙ点に位置する場合の出力電圧をＶｙとする。
【００２４】
以下、図６のフローチャートに沿って動作を説明する。まず、スクロールバー１４の入力位置を情報取得する（ステップＳ１）。つまり、出力電圧Ｖｘを取得する。
【００２５】
次に、割合αを計算する（ステップＳ２）。
【００２６】
つまり、割合α＝Ｖｘ／（Ｖｂ−Ｖａ）            …（１）
とされる。
【００２７】
次に、スクロールバー１４で指定された商品のグラム数Ｚが計算される（第２の計算手段）（ステップＳ３）。
【００２８】
つまり、Ｚ＝Ｗ２＋α（Ｗ１−Ｗ２）            …（２）
とされる。
【００２９】
スクロールバー１４の位置に弧Ａを表示される処理が行われる（ステップＳ４）。
【００３０】
さらに、商品のグラム数Ｚをサブディスプレイ１３の下段１３ｂに表示させる処理が行われる（ステップＳ５）。
【００３１】
次に、ダイヤル１５の入力角度を情報取得する（ステップＳ６）。つまり、出力電圧Ｖｙを取得する。
【００３２】
次に、柿の種の混合比率βが計算される（第１の計算手段）（ステップＳ７）。
【００３３】
つまり、β＝Ｖｙ／（Ｖｄ−Ｖｃ）            …（３）
として計算される。
【００３４】
次に、柿ピーの金額Ｐが計算される（決定手段）（ステップＳ８）。
【００３５】
つまり、Ｐ＝Ｚ＊［β＊Ｐ１＋Ｐ２＊（１−β）］        …（４）
として計算される。
【００３６】
そして、ダイヤル１５の位置のメインディスプレイ１２上に境界線Ｂが表示される（ステップＳ９）。
【００３７】
さらに、境界線Ｂの左側の領域Ｌに『柿の種』の画像が表示され、境界線Ｂの右側の領域Ｒに『ピーナッツ』の画像が表示される（ステップＳ１０）。また、領域Ｌに混合比率（例えば４０％）、領域Ｒに混合比率（例えば６０％）が表示される。
【００３８】
次に、金額Ｐがサブディスプレイ１３の上段１３ａに表示される（ステップＳ１１）。
【００３９】
そして、レバー１７が操作された入力信号がＣＰＵ２１に入力されたかが判定される（ステップＳ１２）。
【００４０】
購入者はメインディスプレイ１２に表示された混合比率、サブディスプレイ１３に表示された金額及びグラム数を確認して、了解できるのであればレバー１７を操作する。
【００４１】
このステップＳ１２の判定で「ＹＥＳ」と判定されると、弧Ａ，境界線Ｂの量を２次元コードに変換する（ステップＳ１３）。
【００４２】
そして、商品名、金額Ｐ、グラム数Ｚ、ステップＳ１３で計算した２次元コードがラベルプリンタ２４で印字される（ステップＳ１４）。
【００４３】
そして、そのラベルはラベル排出口１６から排出される。
【００４４】
購入者はそのラベルを持って、柿ピーを受け取る場所に提出する。
【００４５】
これにより、柿ピーをユーザの好みに応じたグラム数Ｚ、混合比率βで注文することができる。
【００４６】
なお、上記実施の形態では２の商品が混合された商品を一例にしたが、本発明は３つ以上の商品が混合された商品についても適用可能である。
【００４７】
さらに、上記実施の形態では、メインディスプレイ１２の側辺にスクロールバー１４及びダイヤル１５を設けておいたが、メインディスプレイ１２をタッチ式ディスプレイで構成しておき、弧Ａ及び境界線Ｂをドラッグすることにより総重量や混合割合を指定するようにしても良い。
【００４８】
さらに、レバー１７は、ボタンスイッチやメインディスプレイなどを共用したタッチ式ディスプレイで構成して筐体１１の前面に設けても良い。
【図面の簡単な説明】
【００４９】
【図１】本発明の一実施の形態に係る商品構成決定支援装置の正面図。
【図２】同実施の形態に係る商品構成決定支援装置のシステム構成を示すブロック図。
【図３】同実施の形態に係る商品情報ファイルを示す図。
【図４】同実施の形態に係るスクロールバーの動きを説明するための図。
【図５】同実施の形態に係るダイヤルの動きを説明するための図。
【図６】同実施の形態の動作を説明するためのフローチャート。
【符号の説明】
【００５０】
１２…メインディスプレイ、１３…サブディスプレイ、１４…スクロールバー、１４ａ…レバー、１５…ダイヤル、１７…レバー。
【図１】
2006258573.tif 000003
【図２】
2006258573.tif 000004
【図３】
2006258573.tif 000005
【図４】
2006258573.tif 000006
【図５】
2006258573.tif 000007
【図６】
2006258573.tif 000008